(57)【特許請求の範囲】
【請求項１】
-  スクリーン網(4)、
-  化粧品組成物を含浸させた繊維担体(3)
を備える含浸化粧用品(2)であって、
当該含浸化粧用品(2)は、
-  1mmから200mmの間の範囲の厚さ、
-  30g/m2から5500g/m2の間の表面密度、
-  50%から100%の間の弾性度
を有し、
前記スクリーン網(4)は、前記繊維担体(3)に含浸した前記化粧品組成物が前記スクリーン網(4)の穴を通過すると、前記化粧品組成物のすくい上げ表面を形成するように設計されており、
前記スクリーン網(4)は、その全面が溶融または接着よって前記繊維担体(3)に一体化されている、含浸化粧用品(2)。
【請求項２】
前記繊維担体(3)が不織布材を含む、請求項1に記載の含浸化粧用品(2)。
【請求項３】
前記繊維担体(3)が、ポリエチレン繊維、ポリプロピレン繊維、ポリエチレンテレフタレート繊維、またはそれらの混合物により作られている、請求項1または2に記載の含浸化粧用品(2)。
【請求項４】
前記繊維が、1μmから100μmの間の直径を有する、請求項1から3のいずれ一項に記載の含浸化粧用品(2)。
【請求項５】
前記繊維担体(3)が空気腔を含み、前記繊維担体の中の前記空気腔の容積百分率が、35%から90%までの範囲にある、請求項1から4のいずれか一項に記載の含浸化粧用品(2)。
【請求項６】
前記スクリーン網(4)がポリオレフィンを含む、請求項1から5のいずれか一項に記載の含浸化粧用品(2)。
【請求項７】
前記スクリーン網(4)が、0.05mm2から0.50mm2までの表面をそれぞれ有する穴を含む、請求項1から6のいずれか一項に記載の含浸化粧用品(2)。
【請求項８】
デュロメータ硬度計F型により測定されたときに13〜70の範囲の硬度を有する、請求項1から7のいずれか一項に記載の含浸化粧用品(2)。
【請求項９】
前記化粧品組成物が、UV吸収薬剤または防腐剤を含む、請求項1から8のいずれか一項に記載の含浸化粧用品(2)。
【請求項１０】
前記化粧品組成物の粘度が、1,000cpsから20,000cpsの間である、請求項1から9のいずれか一項に記載の含浸化粧用品(2)。
【請求項１１】
請求項1から10のいずれか一項に記載の含浸化粧用品(2)を製作するための方法であって、
(i)繊維担体(3)の層を製造するステップ、
(ii)繊維担体(3)の前記層を切断するステップ、
(iii)繊維担体(3)の前記層にスクリーン網(4)を載置するステップ、
(iv)前記繊維担体(3)に前記スクリーン網(4)を接着するステップ、
(v)化粧品組成物を含浸させるステップ
を含む、方法。
【請求項１２】
-  請求項1から10のいずれか一項に記載の含浸化粧用品(2)、
-  前記含浸化粧用品(2)のための容器(5)
を備える、化粧品(10)。
【請求項１３】
前記化粧品組成物を取り上げるための化粧品道具をさらに備える、請求項12に記載の化粧品(10)。
【請求項１４】
前記含浸化粧用品(2)の下に位置付けられたマット(7)をさらに備える、請求項12または13に記載の化粧品(10)。
【発明の詳細な説明】
【技術分野】
【０００１】
本発明は、スクリーン網と、化粧品組成物を含浸させた繊維担体とを備えた含浸化粧用品、およびこれを製造するための方法に関する。
【０００２】
「化粧品」という表現は、1993年6月14日付けの理事会指令93/35/EECに定義された製品を意味することが理解される。
【０００３】
説明全体において、「〜を1つ備える」という表現は、特に逆の規定がなければ「少なくとも1つの〜を備える」と同義と考えるべきである。
【０００４】
より詳細には、本発明は、化粧品組成物、たとえば、ファンデーションもしくはクリームなどのケア用製品またはメーキャップ用製品を塗布するための含浸化粧用品に関する。
【背景技術】
【０００５】
「クッションファンデーション(CUSHION foundation)」と呼ばれるコンパクト型の液体ファンデーションシステムは、最初、2008年に韓国で登場し、世界市場に順調に広がり始めている。このシステムは、液体ファンデーションを含浸し容器の中に入れられている発泡担体(foam carrier)(スポンジ)を担体として備える。しかしながら、このシステムは、改良し得る可能性がある。
【０００６】
そのようなシステムは、まず、液体ファンデーションを使用者の指先または補助的アプリケータ(すなわち、綿コットン、綿棒、パッドなど)に、次いで、顔に塗布することによって使用されることが多い。
【０００７】
WO2009/148048は、顔パックに利用するためのスキンカバーシートについて開示している。このスキンカバーシートは、不織布から成り、化粧品液体を含浸させる。不織布は、少なくとも、ポリエチレン成分と別のポリマー成分とを含む複合繊維を混ぜ合わせることによって得られる。次いで、混合物は、親水性繊維とブレンドされ、水流交絡される。
【０００８】
JP2000-287746は、一対のウレタンスポンジ層と、このスポンジ層のそれぞれの表面に貼設されている不織布層とを含む化粧品パフについて開示している。しかしながら、そのようなパフは、毎回の塗布後に、指および/または補助的アプリケータに製品の痕跡を残し、そのことは面倒であるとともに、場合によっては、メーキャップ用製品の浪費を伴うこともある。
【０００９】
スクリーン網と、化粧品組成物を含浸させた吸収体とを備えた含浸化粧用品が、当技術分野において知られている。
【００１０】
EP0528705は、流体化粧品を含浸させたスポンジ要素を備える含浸化粧用品について開示している。好ましくは、スポンジ要素は、開放気泡を有する可撓性合成発泡体によって構成される。スポンジ要素は、ポリウレタン、ポリ塩化ビニル、ポリエチレン、エポキシ樹脂、またはポリスチレンで作られていてよい。好ましくは、スポンジ要素は、可撓性スクリーン網を載せている。このスクリーン網は、前記スポンジ要素の周囲を圧迫するフレームによって、スポンジ要素上に保持される。スクリーン網は、押圧されると、スポンジ要素を変形させ、次いで、使用者が押圧を止めると、その元の形状に回復できるのに十分なほど可撓性である任意の材料で作られている。
【００１１】
JP-U-H01-131422は、繊維片に液体が注入されている部材について開示している。不織布プレートおよび合成樹脂シートが、順に積層されている。不織布プレートは、プレート様の形状を有し得る。合成樹脂シートは、表面形状が不織布プレートとほぼ同じであり、ポリエチレンなどの軟質合成樹脂によって形成される。多数の孔が、合成樹脂シートに穿設され得る。
【００１２】
EP2837306は、スクリーン網と、化粧品組成物を含浸させた吸収材とを備えた含浸化粧用品について開示している。吸収材は、スクリーン網に隣接している。スクリーン網は、ポリウレタン、TPE(熱可塑性エラストマー)、ポリエステル、ポリエーテル、アクリル、およびオレフィンからなる群から選定される1つまたは複数の材料で作られている。吸収材は、たとえば、スポンジ、発泡体、または不織布であってもよい。
【先行技術文献】
【特許文献】
【００１３】
【特許文献１】WO2009/148048
【特許文献２】JP2000-287746
【特許文献３】EP0528705
【特許文献４】JP-U-H01-131422
【特許文献５】EP2837306
【非特許文献】
【００１４】
【非特許文献１】規格ISO9092
【発明の概要】
【発明が解決しようとする課題】
【００１５】
スクリーン網と、化粧品組成物を含浸させた吸収体とを備えた用品をさらに改良する必要性が存在する。
【００１６】
具体的には、次の目的:
-  液体またはゼリー状の組成物の塗布中の快適性を高めること、
-  使用者の肌に組成物をきめ細やかに、かつ必要に応じて均一なように塗布することを可能にすること、
-  吸収体からの組成物の漏出を低減させること、
-  消費者が用品を押圧するたびに、調節された量の組成物を得ることを可能にすること、
-  組成物のUV保護品位を経時的にほぼ一定に保つこと、
-  組成物の防腐剤量を経時的にほぼ一定に保つこと、
-  吸収剤における化粧品組成物の吸収率を減少させること、
-  吸収剤に含浸した組成物の戻り率を増加させること、
-  用品の典型的な使用回数後、具体的には、用品の300回使用後の、用品の弾性度を増加させること、
-  充填工程を最適化し、簡略化すること
のうちの少なくとも1つに対応するそのような用品を提供する必要性がある。
【課題を解決するための手段】
【００１７】
本発明は、これらの必要性のうちの少なくとも1つを満たすことを目的とし、含浸化粧用品に関し、この含浸化粧用品は、
(i)スクリーン網、
(ii)化粧品組成物を含浸させた繊維担体
を備え、
この用品は、
-  1mmから200mmの間の範囲の厚さ、
-  30g/m2から5500g/m2の間の表面密度、
-  50%から100%の間の弾性度
を有する。
【００１８】
本発明によれば、用品の「厚さ」および「表面密度」は、組成物の含浸前に測定される。
【００１９】
用品の「弾性度」は、組成物の含浸後および最初の使用前に測定される。
【００２０】
用品のパラメータを特別に選択することにより、用品の品質は、これらの従来技術と比較して、有意に高まることになる。使用者は、使い心地がより良く、体もしくは顔のよりきめ細やかなメーキャップまたはケアを可能にする用品から恩恵を受ける。組成物の浪費を避けるために、漏出が低減される。組成物のSPF(日焼け防止指数)は、用品の使用中、その元のレベルに全体的に維持される。防腐剤の量もまた、経時的に相当一定に保たれる。
【００２１】
具体的には、本発明者は、先に示された具体的な範囲内にある用品のパラメータを選択することによって、有意な改良が観察され得ることを実証した。これらの改良は、次の特性:
-  吸収率、
-  戻り率、
-  300回使用後の弾性度
のうちの少なくとも1つに関連する。
【００２２】
繊維担体の形状は、限定するものではないが、好ましくは、プレート、または円筒などのブロックの形態である。
【００２３】
本発明は、さらなる別のその態様においては、上述の含浸化粧用品と、前記用品のための容器とを備えた化粧品に関する。好ましくは、化粧品は、化粧品組成物を取り上げるための化粧品道具をさらに備える。より好ましくは、この化粧品は、含浸化粧用品の下に位置付けられたマットを備える。
【００２４】
好ましくは、組成物の粘度は、約1,000cpsから20,000cpsの間とすることができる。つまり、粘度の範囲は非常に幅広く、したがって、様々なタイプの組成物が使用され得る。
【００２５】
本発明の第1の実施形態においては、組成物の粘度は、約1,000cpsから10,000cpsの間である。化粧品組成物は、低粘度を有すると考えられる。
【００２６】
本発明の第2の実施形態においては、組成物の粘度は、約10,000cpsから20,000cpsの間である。化粧品組成物は、高粘度を有すると考えられる。
【００２７】
好ましくは、スクリーン網は、繊維担体に含浸した化粧品組成物がスクリーン網の穴を通過するときに、化粧品組成物のすくい上げ表面(pick-up surface)を形成するように設計されている。
スクリーン網構造体は、使用者が含浸用品を押圧したとき、繊維担体の変形を模倣することができる。
【００２８】
本発明によれば、化粧品組成物の吐出量は、スクリーン網の穴を通して化粧品組成物を吐出することによって調節され得る。
【００２９】
本発明による含浸用品は、スクリーン網および繊維担体を配置することにより、化粧品組成物の吐出の恒久的な調節を可能にする。本発明による含浸用品は、繊維担体に含浸した化粧品組成物の最適な使用を可能にする。それは、消費者に全く革新的な感触を提供する。この感触は、含浸用品を数回使用した後の時でも残る。
【００３０】
主な定義
以降では、試験、実験、および測定はすべて、温度20℃、気圧105Pa、および湿度割合50%において実施される。
【００３１】
以降では、「実験」は、用品に対して0.4kgfの定荷重を1秒間与えることによって行われる。定荷重は均一である。それは、スクリーン網に与えられ、スクリーン網全体をカバーする。
【００３２】
「繊維担体」は、繊維を含む吸収基材である。
【００３３】
用品の「硬度」は、デュロメータ硬度計(アスカー(ASKER)製F型)により測定される。好ましくは、用品の硬度は、デュロメータ硬度計F型により測定されたときに13〜70の範囲にある。
【００３４】
「粘度」の測定は、200t/分で回転するスピンドルを装備したコントラベス(Contraves)のTVまたはレオマット(Rheomat)180粘度計を使用して行われる。当業者は、自分の一般的な知識に基づいて、流動体から粘度を測定するためのスピンドルM1またはM2を選定して、測定を実施することができる。測定は、組成物中でスピンドルを200回転/分で10分間回転させた後に得られる。
【００３５】
「表面密度」は、スクリーン網の外表面によって分割された組成物の含浸前の用品の質量と定義される。スクリーン網の外表面は、用品の長手方向軸に垂直である。スクリーン網の外表面は、指もしくは化粧品道具と全体的にまたは部分的に接触する。
【００３６】
表面密度測定値の導出されたSI単位は、キログラム毎平方メートル(kg/m2)である。
【００３７】
「戻り率」という用語は、ここでは、使用者が用品を押圧したとき、その用品によって返され得る化粧品組成物の量を表す。
【００３８】
戻り率は、R=(Wo-Wi)/Wf×100であり、ただし、「Wo」は、実験前の用品重量であり、「Wi」は、実験後の用品重量であり、「Wf」は、用品に含浸した化粧品組成物の重量である。
【００３９】
戻り率は、用品を最初に使用する前に測定される。
【００４０】
「吸収率」という用語は、用品によって吸収され得る化粧品組成物の量を表す。
【００４１】
吸収率は、A=[(Wsat/Vsat]であり、ただし、「Wsat」は、容積Vsatを有する非含浸用品を飽和させるのに必要な組成物の重量である。
【００４２】
「弾性度」は、次の比率により計算される:
E=[(ti/t0]*100、ただし、t0は、実験前の用品厚さであり、tiは、実験後の弾性度厚さである。
【００４３】
「t0における弾性度」は、最初の使用前の含浸化粧用品の弾性度である。
【００４４】
「tnにおける弾性度」は、300回使用後の含浸化粧用品の弾性度である。
【００４５】
本発明によれば、繊維担体は、不織布とすることができる。しかし、これは必須ではない。
【００４６】
「不織布」は、本発明の意味においては、個々の繊維または細糸がシート様の構造体として不規則な形で配置され、織られているのでも編まれているのでもない繊維を含む基材を意味する。不織布体の繊維は一般には、機械的作用(たとえば、ニードルパンチ、エアジェット、ウォータジェットなど)の効果の下で、もしくは熱作用の効果の下で、または固着剤を添加することによって、互いに結合される。
【００４７】
そのような不織布材は、紙、あるいは糸を組み入れる、もしくは細糸を結び付ける製織、編物、房付け、または縫製によって得られる製品を含まない、たとえば、摩擦および/もしくは凝集、ならびに/または接着によって固着される、方向性をもたせてまたは無作為に配向された、繊維のウェブあるいはシートと規格ISO9092によって定義されている。
【００４８】
不織布体は、繊維に基づいて製造される。有利には、不織布シートに含まれている熱溶融繊維の質量百分率は、0.5%より高く、100%以下であり、有利には15%から80%の間である。
【００４９】
熱溶融繊維は、たとえば、ポリエチレン(PE)、ポリプロピレン(PP)、ポリエチレンテレフタレート(PET)などのポリオレフィン繊維、もしくはポリメチルメタクリレート(PMMA)などのアクリル繊維、ポリウレタン繊維、または次の熱可塑性繊維:ポリ塩化ビニル(PVC)、スチレンポリマー(たとえば、ポリスチレンPS、発泡性ポリスチレンイーピーエス、アクリロニトリルブタジエンスチレンABSターポリマー、スチレンアクリロニトリルコポリマー、スチレンブタジエンSBポリマー)、ポリアミド(PA)、ポリカーボネート(PC)、飽和ポリエステル(たとえば、ポリエチレンテレフタレートグリコールPET、ポリブチレンテレフタレートグリコールPBT)、ポリアセタール(たとえば、ポリオキシメチレンPOM、トリオキサンエチレンオキシドコポリマー)、ポリビニルアルコール(PVA)、もしくはフッ素化ポリマー(たとえば、ポリテトラフルオロエチレンPTFE、ポリフッ化ビニリデンPVDF、およびポリクロロトリフルオロエチレンPCTFE)繊維である。
【００５０】
「スクリーン網」は、開口部を有し繊維担体において含浸した化粧品組成物をふるい分けるのに使用される材料である。開口部は、スクリーン網に無作為にまたは規則的に分布され得る。スクリーン網は、化粧品組成物の流れを繊維担体から用品の外部へと向かわせる。スクリーン網は、たとえば、多孔性材であっても、または篩であってもよい。スクリーン網の構造は、いずれの種類であってよい。
【００５１】
含浸化粧用品を製作するための方法
本発明はまた、含浸化粧用品を製作するための方法に関し、この方法は、
(i)繊維担体の層を製造するステップ、
(ii)繊維担体の層を切断するステップ、
(iii)繊維担体の層にスクリーン網を載置するステップ、
(iv)繊維担体にスクリーン網を接着するステップ、
(v)化粧品組成物を含浸させるステップ
を含む。
【００５２】
1) 非含浸化粧用品を製作するための方法
繊維担体は、一般に、所望の厚さを有するシートを形成するために幅広の層に製造され、適当な厚さに切断される。概して、シートの表面は、1m2である。
【００５３】
次いで、スクリーン網は、繊維担体の表面の上部に、表面をすべてカバーするように載置され得る。
【００５４】
スクリーン網は、次いで、それに繊維担体を接着させるために、その表面全体をカバーする鉄プレートを用いて、溶融されるか、のり付けされるか、または組み付けられ得る。
【００５５】
最終的に、それは、容器に嵌合することができる最終形状に達するように切断され得る。
【００５６】
2) 化粧品組成物を含浸させるための方法
化粧品組成物は、容器に充填され得る。
【００５７】
非含浸化粧用品は、化粧品組成物の表面の上部に置くことができる。
【００５８】
非含浸化粧用品の上表面は、ゆっくりと押圧され得る。
【００５９】
リングが、容器に差し込まれて、容器の中に含浸用品を維持することが可能である。
【００６０】
本発明は、その非限定的な実施形態の次の詳細な説明から、かつ添付の図面を検討すると、より良く理解され得る。
【図面の簡単な説明】
【００６１】
【図１】本発明の実施形態のうちの1つによる化粧品の分解斜視図である。
【図２】本発明の実施形態のうちの別の実施形態による化粧品の分解斜視図である。
【発明を実施するための形態】
【００６２】
図1に示されている化粧品1は、コンパクト型の液体ファンデーションシステムである。化粧品1は、繊維担体3、および繊維担体3の外表面(上側表面)をカバーするスクリーン網4を備える含浸用品2と、用品2のための容器5と、封止部材6とを含む。繊維担体3は、液体、クリーム、ジェルの組成物などの、化粧品流体組成物を含浸させる。「流体」という用語は、ここでは、化粧品組成物が、その形状を変化させる力に作用されたときに、安定した速度で流れ、その形状を変えることができ、好ましくは、20℃から40℃までの温度、好ましくは、周囲温度、すなわち25℃で液体であることを意味する。
【００６３】
容器5は、含浸用品2を入れるための収納部50と、収納部50を取り囲む周壁部51と、収納部50および周壁部51の上に置くことが可能な蓋部52とを備え、この蓋部52は、周壁部51とヒンジ式に連結されている。
【００６４】
封止部材6は、収納部50の上側縁部に嵌合され含浸用品2を露出させるリング形状を有する。封止部材6は、収納部50の上側縁部からの化粧品流体組成物の漏れを防止し、スクリーン網4の周囲を押圧して収納部50内に用品2を保持することができる。封止部材6は押圧され得るが、それは必須ではない。それは、処方レオロジー(formula rheology)などの特定の条件下でのみより良い。
【００６５】
含浸用品2は、収納部50の内部形状に合う形状を有する。スクリーン網4は、シート全体にわたって化粧品組成物についての透過性を有する、布、網、または開口部/オリフィス/孔/多孔性を含む薄膜などである。スクリーン網4は、繊維担体3の上側表面に、繊維担体3と一体になるように取り付けられる。代替として、繊維担体3およびスクリーン網4は、別々に構成され得る。加えて、金属網などの追加のカバーシートが、スクリーン網4に位置付けられ得る。
【００６６】
繊維担体3は、無作為または非無作為に編成された繊維の組から成る繊維ブロックである。繊維担体3は、多孔性であり、化粧品流体組成物を吸収することができる。繊維担体3は、孔の網状構造体を含むことができる。孔の大きさは限定されず、0.1mmから5mmまで、好ましくは、0.3mmから4mmまで、より好ましくは、0.6mmから3mmまでとすることができる。本発明による組成物は、孔の中に収納され得る。
【００６７】
繊維の長さおよび幅は、限定されない。長さは、0.5mmから20mmまで、好ましくは、1mmから15mmまで、より好ましくは、3mmから10mmまでとすることができる。繊維の幅は、1μmから500μmまで、好ましくは、10μmから400μmまで、より好ましくは、50μmから300μmまでとすることができる。
【００６８】
繊維の材料は限定されない。好ましくは、繊維材料は不織布を含む。繊維は、ポリオレフィン(具体的には、ポリエチレンおよびポリプロピレン)、ポリエステル、ならびにポリエチレンテレフタレートなどの合成樹脂、または綿、セルロース、およびシルクなどの天然繊維から用意され得る。好ましくは、繊維担体3は、ポリエチレン繊維、ポリプロピレン繊維、ポリエチレンテレフタレート繊維、またはそれらの混合物により作られている。これにより、たとえ化粧品流体組成物がUVフィルタまたは防腐剤を含んでいるとしても、これらの繊維は、UVフィルタまたは防腐剤を全くまたはほとんど吸収できないので、日焼け防止SPFレベルも、防腐剤の効果も低下することがない。好ましくは、化粧品組成物は、UV吸収薬剤または防腐剤を含む。
【００６９】
繊維は、異なる性質であってよく、繊維担体3の透過度、その戻り度(使用比率)、およびその弾性度を最大限にするために同時に混合されてよく、そのことにより、広範囲の粘度を有する化粧品流体組成物との適合性が可能になる。図1および図2に示されている繊維担体3は、円形形状を有するが、それに限定されない。
【００７０】
化粧品1の使用者は、パフなどの道具を用いて繊維担体3から化粧品流体組成物を取ることができる。たとえば、道具を繊維担体3に押し付けながら、または押し付けることなく、道具を繊維担体3上に当てることによって、繊維担体3の中の組成物を担体から道具に移すことができる。使用者は、自分の手を用いて化粧品流体組成物を繊維担体3から取ってもよい。
【００７１】
図2は、本発明による化粧品の別の実施形態を示している。図2に示されている化粧品10も、コンパクト型の液体ファンデーションシステムである。化粧品10は、上述の構成要素、つまり、含浸用品2、容器5、封止部材6、および化粧品流体組成物に加えて、弾力性を有するハニカムマット7をさらに備える。ハニカムマット7は、ポリウレタンなどで作られているスポンジである。ハニカムマット7は、収納部50の中に入れられ、用品2の下に位置付けられる。ハニカムマット7は、互いに連通する多くのセルを含み、やはり化粧品流体組成物を含浸させる。ハニカムマット7は、繊維担体3に直接接触し、繊維担体と流体連通している。
【００７２】
好ましくは、スクリーン網4は、ポリオレフィン、ポリエステル、ポリウレタン、アクリルまたはエポキシ樹脂を含む。より好ましくは、スクリーン網は、ポリオレフィンを含む。さらにより好ましくは、繊維担体3は、スクリーン網4に接着している。
【００７３】
スクリーン網4は、熱的処理およびカレンダ加工によって、繊維担体3に結合され得る。
【００７４】
スクリーン網4の厚さは、好ましくは、0.01mmから0.5mmの間の範囲内、さらにより好ましくは、0.05mmから0.3mmの間の範囲内である。
【００７５】
スクリーン網の各穴の表面は、好ましくは、0.05mm2から0.50mm2までとすることができる。それは、化粧品組成物のレオロジーによって異なってよい。表面に対する穴の再分割は、穴の割合が、好ましくは、少なくとも30%超を維持するまで、編成されても、または無作為化されてもよい。
【００７６】
繊維担体3の厚さは、好ましくは、10mmから60mmの間の範囲内、さらにより好ましくは、13mmから30mmの間の範囲内である。
【００７７】
繊維担体3の表面密度は、好ましくは、200g/m2から2000g/m2の間の範囲、さらにより好ましくは、200g/m2から1600g/m2の間の範囲内である。
【００７８】
繊維担体3に含浸した組成物についての戻り率は、好ましくは、40%から99%の間の範囲内、より好ましくは、60%から99%の間の範囲内である。
【００７９】
好ましくは、繊維担体3は、空気腔を含み、繊維担体の中の空気腔の容積百分率は、35%〜90%の範囲である。
【００８０】
用品2の弾性度は、好ましくは、40%から99%の間の範囲内、より好ましくは、60%から99%の間の範囲内である。
【００８１】
用品2の吸収率は、好ましくは、40%から99%の間の範囲内、より好ましくは、60%から99%の間の範囲内である。
【００８２】
繊維担体3のアスカー硬度Fは、好ましくは、65±13、つまり、52から78の間の範囲内である。これは、使用者が、直接、または何らかの道具を用いてのいずれかで繊維担体3の外表面に触れるか、または外表面を押圧したとき、使用者に対する「クッション」感を可能にする。加えて、これは、繊維担体を介する適したバルク流を可能にし、そのため、適切な量の化粧品流体組成物を繊維担体3から繊維担体を通して使用者の道具または肌に移すことができる。「バルク流」という用語は、ここでは、繊維担体3の中の孔を通る化粧品流体組成物の流れを意味する。繊維の直径は、好ましくは、1μmから100μmの間、好ましくは、10μmから53μmの間の範囲内である。これは、最適化された含浸度、弾み効果、および硬度のための繊維担体容積当たりの腔の適した比率を可能にする。繊維担体3の中の腔の百分率は、好ましくは、35%から90%の間、より好ましくは、45%から80%の間、さらにより好ましくは、55%から70%の間である。これは、異なるタイプの液体/クリーム/ジェルの組成物の高い含浸度を可能にする。
【００８３】
含浸用品の評価
最初の使用前に、異なる厚さ、表面密度、および弾性度を有するいくつかの含浸用品が用意された。
【００８４】
含浸組成物は、
-  低粘度組成物、
-  高粘度組成物
であった。
【００８５】
使用前の弾性度、300回使用後の弾性度、戻り率および吸収率が、用品ごとに評価された。
【００８６】
含浸前の用品の説明
繊維担体
繊維担体は、内側がPP、外側がPEで作られている。
【００８７】
繊維担体の中の空気腔の容積百分率は、77%である。
【００８８】
スクリーン網
スクリーン網は、コポリマーエチレン酢酸ビニル(EVA)の熱溶融層によりカバーされたポリオレフィンで作られている。
【００８９】
その厚さは、0.12mmであり、穴の大きさは、0.189mm2である。
【００９０】
非含浸用品を用意するための工程
まず、繊維担体が、15mmの厚さを有する1m2のシートを形成するために、製造され、適当な厚さに切断される。
【００９１】
次いで、スクリーン網が、表面の上部に、それをすべてカバーするように載置され得る。
【００９２】
スクリーン網は、次いで、EVA熱溶融層およびPP/PE繊維を溶融するために、表面全体をカバーする鉄プレートとともに溶融される。
【００９３】
最終的に、それは、容器に嵌合する最終形状に達するように切断される。
【００９４】
化粧品組成物を含浸させるための工程
化粧品組成物は、容器に充填される。
【００９５】
非含浸化粧用品は、化粧品組成物の表面の上部に置かれる。
【００９６】
非含浸化粧用品のスクリーン網は、ゆっくりと押圧される。
【００９７】
リングが容器に差し込まれて、容器の中に含浸用品を維持する。
【００９８】
化粧品組成物
化粧品組成物は、
-  低粘度組成物: シューウエムラ(Shu Uemura)のスキンピュリファイアーブランクロマブライトニング&ポリッシュジェントルクレンジングオイル(skin Purifier blanc chroma brightening and polishing gentle cleansing oil)(登録商標)と呼ばれるシューウエムラTMクレンジングオイル(登録商標)(61±5UD(M1))、
-  高粘度組成物: ランコム(Lancome)のブランエクスペールクッション(Blanc Expert Cushion)(登録商標)カバー力高SPF50(30〜40UD(M1))
であった。
【００９９】
用品の様々な表面密度および厚さについての試験の結果は、［表1］〜［表3］に示されている。
これらの表においては、「トップコート」という用語は、「スクリーン網の外表面」という意味である。
【表１】
0006716680.tif 000002
0006716680.tif 000003
0006716680.tif 000004
0006716680.tif 000005
0006716680.tif 000006
【表２】
0006716680.tif 000007
0006716680.tif 000008
0006716680.tif 000009
0006716680.tif 000010
0006716680.tif 000011
【表３】
0006716680.tif 000012
0006716680.tif 000013
0006716680.tif 000014
0006716680.tif 000015
0006716680.tif 000016
【０１００】
用品の評価のための条件は、［表4］および［表5］に示されている。
【表４】
0006716680.tif 000017
【表５】
0006716680.tif 000018
【０１０１】
次の結果:
-  戻り率、
-  吸収率、
-  300回利用後の弾性度
に関する用品の結果「合格」または「不合格」は、3つのパラメータ:
-  繊維担体の厚さ、
-  用品の最初の使用前の弾性度、
-  用品の表面密度
によって決まる。
【０１０２】
これらの3つのパラメータが本特許出願において特許請求される範囲の中にある場合、300回利用後における吸収率、または戻り率、または弾性度のいずれかが合格することがわかる。これは、特に、本発明の目的に到達するために発明者が見出したパラメータを選択する重要性を実証している。
【０１０３】
いくつかの場合においては、3つのパラメータが本特許出願において特許請求される範囲の中にある場合には、2つの結果に到達することさえある。
【０１０４】
いくつかの場合においては、3つの結果に到達することさえある。
【０１０５】
さらには、化粧品流体組成物の中の含有物(UVフィルタおよび防腐剤)の潜在的な吸収に関して、発明者によって実施された試験について、以下に説明する。
【０１０６】
異なる材料(PUおよびPP/PE)で作られている2つの種類のサンプルが用意された。試験は、これらのサンプルそれぞれを、所定の時間の間、化粧品流体組成物と接触させることによって行われ、サンプルのUV吸収度、ならびにサンプルにおける防腐剤(フェノキシエタノール)の含有量が計算された。
【０１０７】
試験の結果は、以下に示す通りであった。
【０１０８】
【表６】
0006716680.tif 000019
【０１０９】
試験の上記結果に示されているように、UV吸収度およびフェノキシエタノールの含有量の低下がPUサンプルにおいて確認された。対照的に、PP/PEサンプルでは、UV吸収度も、フェノキシエタノールの含有量も、有意な低下は確認されなかった。
【０１１０】
このシステムは、多くの変形形態、すなわち、コンパクトケース、ジャー、またはボトルでも使用され得、固形ファンデーションを除く、すべての化粧品処方に適合可能である。実際、この用品はまた、メーキャップ、スキンケア、ヘアケア、ヘアダイなどを含むほとんどすべての種類の化粧品組成物とともに使用され得る。また、この用品を、キャップ内に、または直接的塗布システム内に組み込むこともできる。また、パック用にも適合可能である。
【０１１１】
本発明の好ましい実施形態を例示目的で開示しているが、様々な修正形態、追加形態、および置換形態が、添付の特許請求の範囲に開示されている本発明の範囲および趣旨から逸脱することなく可能であることを当業者は認識するであろう。
【符号の説明】
【０１１２】
1  化粧品
2  含浸用品
3  繊維担体
4  スクリーン網
5  容器
6  封止部材
7  ハニカムマット
50  収納部
51  壁部
52  蓋部
【図１】
0006716680.tif 000020
【図２】
0006716680.tif 000021